(57)【要約】【課題】フロントフリップロックタイプの基板用コネクタにＦＰＣを接続した際に、ＦＰＣが基板用コネクタに適正に装着されているか否かを目視により簡単に判別することができるフレキシブルプリント基板のコネクタ接続構造を提供すること。【解決手段】フレキシブルプリント基板３０は、接続端部３１が設けられている面とは逆側の面に設けられた樹脂製の保護板３２の両側で接続端部３１から所定距離だけ離れた位置に指標部３５を備え、フレキシブルプリント基板３０が接続される基板用コネクタ２０は、端子配置部２４に載置されたフレキシブルプリント基板３０を端子配置部２４に押圧する開閉カバー２２を備え、基板用コネクタ２０を搭載する回路基板１０の表面１１には、フレキシブルプリント基板３０の端子配置部２４への挿入長が適正値のときに、指標部３５と位置が整合する目印１２を装備する。【選択図】図１
2015005405.tif 000002
【特許請求の範囲】
【請求項１】
フレキシブルプリント基板の複数のリード線に接続する複数の接続端子が規定の配列ピッチで平面状に配列された端子配置部と、該端子配置部の上方を開閉可能に覆うと共に閉じた状態では前記端子配置部に載置された前記フレキシブルプリント基板を前記端子配置部に押圧する開閉カバーと、を備えて回路基板上に搭載される基板用コネクタに、前記フレキシブルプリント基板を接続するフレキシブルプリント基板のコネクタ接続構造であって、
前記フレキシブルプリント基板は、前記複数のリード線が露出し前記端子配置部に重ねられる接続端部と、該接続端部が設けられている面とは逆側の面に積層状態に設けられた樹脂製の保護板と、該保護板の前記基板用コネクタの外部に導出する部位の両側で前記接続端部から所定距離だけ離れた位置に装備された指標部と、を備え、
前記基板用コネクタが搭載される前記回路基板の表面には、前記フレキシブルプリント基板の前記接続端部の前記端子配置部への挿入長が適正値のときに、前記指標部と位置が整合する目印を装備したことを特徴とするフレキシブルプリント基板のコネクタ接続構造。
【請求項２】
前記基板用コネクタ内に挿入される前記保護板の先端部の両側には、係合部を備え、
前記端子配置部の両側には、前記係合部と係合して前記フレキシブルプリント基板の前記リード線の延在方向への移動を規制するロック部を備えたことを特徴とする請求項１に記載のフレキシブルプリント基板のコネクタ接続構造。
【発明の詳細な説明】
【技術分野】
【０００１】
本発明は、フロントフリップロックタイプの基板用コネクタにフレキシブルプリント基板（以下、ＦＰＣと略称することもある）を接続するＦＰＣのコネクタ接続構造に関する。
【背景技術】
【０００２】
図６は下記特許文献１に開示されたＦＰＣのコネクタ接続構造を示し、図７は下記非特許文献１に開示されたＦＰＣのコネクタ接続構造を示している。
【０００３】
図６及び図７に示したそれぞれのＦＰＣのコネクタ接続構造は、基板用コネクタ１００が、ＦＰＣ３００の接続端部３１０を挿入するＦＰＣ挿入孔１１０と、ＦＰＣ挿入孔１１０に挿入されてＦＰＣ３００を抜け止めするストッパ１２０と、を備える構造のものである。図６及び図７に示す矢印Ｘ１は、基板用コネクタ１００に対するＦＰＣ３００の挿入方向を示している。
【０００４】
ＦＰＣ３００の接続端部３１０は、複数のリード線３２０が露出している。ＦＰＣ３００の複数のリード線３２０は、接続端部３１０以外では、絶縁性の樹脂フィルム等によるオーバーコート層３３０で覆われている。
【０００５】
ところで、ＦＰＣのコネクタ接続構造では、接続不良の見落としを防止するために、ＦＰＣ３００が適正に基板用コネクタ１００に挿入されているか否かを簡単に目視判別可能にすることが要求される。
【０００６】
そこで、特許文献１に開示されたＦＰＣのコネクタ接続構造の場合、ＦＰＣ３００は、ＦＰＣ挿入孔１１０へ挿入が適正に完了したときに基板用コネクタ１００の外部に露出する領域の両側に、耳部３５０を突設している。更に、ストッパ１２０には、適正にＦＰＣ挿入孔１１０への挿入が完了したＦＰＣ３００の耳部３５０の後端に当接して、ＦＰＣ３００の抜け方向への移動を規制する耳押さえ部１２５を装備している。
【０００７】
これにより、ＦＰＣ３００及びストッパ１２０のＦＰＣ挿入孔１１０への挿入作業が完了したときに、基板用コネクタ１００の外部に露出している耳部３５０と耳押さえ部１２５とが適正に当接しているか否かを目視確認することで、ＦＰＣ３００が適正に基板用コネクタ１００に挿入されているか否かの判別が可能になる。
【０００８】
また、非特許文献１に開示されたＦＰＣのコネクタ接続構造の場合は、基板用コネクタ１００が搭載される回路基板２００に、適正にＦＰＣ３００をＦＰＣ挿入孔１１０に押し込んだときのストッパ１２０の後端の位置を示す目印２１０を、装備している。これにより、ＦＰＣ３００及びストッパ１２０のＦＰＣ挿入孔１１０への挿入作業が完了したときに、ストッパ１２０の後端が、目印２１０を越えているか否かを目視確認することで、ＦＰＣ３００が適正に基板用コネクタ１００に挿入されているか否かの判別が可能になる。
【先行技術文献】
【特許文献】
【０００９】
【特許文献１】実開平７−１９９７８号公報
【非特許文献１】発明協会公開技報公技番号２００５−５０６７７０号
【発明の概要】
【発明が解決しようとする課題】
【００１０】
ところで、近年、ＦＰＣを接続する基板用コネクタとして、前述した特許文献１及び非特許文献１に示した基板用コネクタ１００とは構造の異なるフロントフリップロックタイプのコネクタが開発されている。
【００１１】
この基板用コネクタは、ＦＰＣの複数のリード線に接続する複数の接続端子が規定の配列ピッチで平面状に配列された端子配置部と、該端子配置部の上方を開閉可能に覆うと共に閉じた状態では前記端子配置部に載置されたフレキシブルプリント基板を端子配置部に押圧する開閉カバーと、を備えた構造である。
【００１２】
このようなフロントフリップロックタイプの基板用コネクタの場合、ＦＰＣを接続する際に、ＦＰＣが適正に基板用コネクタに挿入されているか否かを簡単に目視判別可能にするコネクタ接続構造の開発が急務となっていた。
【００１３】
そこで、本発明の目的は、上記課題を解消することに係り、フロントフリップロックタイプの基板用コネクタにＦＰＣを接続した際に、ＦＰＣが基板用コネクタに適正に装着されているか否かを目視により簡単に判別することができるＦＰＣのコネクタ接続構造を提供することにある。
【課題を解決するための手段】
【００１４】
本発明の前述した目的は、下記の構成により達成される。
（１）  フレキシブルプリント基板の複数のリード線に接続する複数の接続端子が規定の配列ピッチで平面状に配列された端子配置部と、該端子配置部の上方を開閉可能に覆うと共に閉じた状態では前記端子配置部に載置された前記フレキシブルプリント基板を前記端子配置部に押圧する開閉カバーと、を備えて回路基板上に搭載される基板用コネクタに、前記フレキシブルプリント基板を接続するフレキシブルプリント基板のコネクタ接続構造であって、
前記フレキシブルプリント基板は、前記複数のリード線が露出し前記端子配置部に重ねられる接続端部と、該接続端部が設けられている面とは逆側の面に積層状態に設けられた樹脂製の保護板と、該保護板の前記基板用コネクタの外部に導出する部位の両側で前記接続端部から所定距離だけ離れた位置に装備された指標部と、を備え、
前記基板用コネクタが搭載される前記回路基板の表面には、前記フレキシブルプリント基板の前記接続端部の前記端子配置部への挿入長が適正値のときに、前記指標部と位置が整合する目印を装備したことを特徴とするフレキシブルプリント基板のコネクタ接続構造。
【００１５】
（２）  前記基板用コネクタ内に挿入される前記保護板の先端部の両側には、係合部を備え、
前記端子配置部の両側には、前記係合部と係合して前記フレキシブルプリント基板の前記リード線の延在方向への移動を規制するロック部を備えたことを特徴とする上記（１）に記載のフレキシブルプリント基板のコネクタ接続構造。
【００１６】
上記（１）の構成によれば、ＦＰＣを接続する基板用コネクタは、端子配置部の上方を開閉可能に覆うと共に閉じた状態では端子配置部に載置されたＦＰＣを端子配置部に押圧する開閉カバーを備えるフロントフリップロックタイプのコネクタである。そして、当該基板用コネクタへのＦＰＣの装着が適正に完了したときには、ＦＰＣの保護板に装備されている指標部の位置が、回路基板の表面の目印の位置に整合する。従って、ＦＰＣの装着作業の完了後に、指標部の位置が回路基板の表面の目印の位置に整合しているか否かを目視確認することで、ＦＰＣが基板用コネクタに適正に装着されているか否かを簡単に判別することができる。
【００１７】
上記（２）の構成によれば、基板用コネクタへのＦＰＣの装着が適正な場合には、基板用コネクタの端子配置部の両側に装備されているロック部が、ＦＰＣの保護板の先端部の両側の係合部と係合して、ＦＰＣのリード線の延在方向への移動を規制する。
【００１８】
そのため、ＦＰＣに作用する張力等で、ＦＰＣが基板用コネクタから抜けることを防止することができ、基板用コネクタとＦＰＣとの間の接続信頼性を向上させることができる。
【発明の効果】
【００１９】
本発明によるＦＰＣのコネクタ接続構造によれば、フロントフリップロックタイプの基板用コネクタにＦＰＣを接続した際に、ＦＰＣが基板用コネクタに適正に装着されているか否かを目視により簡単に判別することができる。
【００２０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２１】
【図１】図１は本発明に係るＦＰＣのコネクタ接続構造の一実施形態において、ＦＰＣを基板用コネクタに接続する前の状態を示す斜視図である。
【図２】図２は本発明の一実施形態のＦＰＣのコネクタ接続構造において、ＦＰＣの基板用コネクタへの接続が完了した状態の平面図である。
【図３】図３（ａ）は本発明の一実施形態のＦＰＣのコネクタ接続構造において、ＦＰＣに装備された係合部が、端子配置部の両側のロック部に係合する前の状態を示す斜視図、図３（ｂ）は係合部の変形例を表す斜視図である。
【図４】図４は本発明に係る係合部及びロック部の変形例を示す斜視図である。
【図５】図５は本発明に係る指標部の変形例を示す平面図である。
【図６】図６は従来のＦＰＣのコネクタ接続構造の分解斜視図である。
【図７】図７は従来の別のＦＰＣのコネクタ接続構造の平面図である。
【発明を実施するための形態】
【００２２】
以下、本発明に係るＦＰＣのコネクタ接続構造の好適な実施形態について、図面を参照して詳細に説明する。
【００２３】
図１〜図３は本発明に係るＦＰＣのコネクタ接続構造の一実施形態を示したもので、図１は本発明の一実施形態のＦＰＣのコネクタ接続構造において、ＦＰＣを基板用コネクタに接続する前の状態を示す斜視図、図２は本発明の一実施形態のＦＰＣのコネクタ接続構造において、ＦＰＣの基板用コネクタへの接続が完了した状態の平面図、図３（ａ）は本発明の一実施形態のＦＰＣのコネクタ接続構造において、ＦＰＣに装備された係合部が、端子配置部の両側のロック部に係合する前の状態を示す斜視図、図３（ｂ）は係合部の変形例を表す斜視図である。
【００２４】
この一実施形態のＦＰＣのコネクタ接続構造は、回路基板１０に搭載された基板用コネクタ２０に、ＦＰＣ３０を接続する構造である。
【００２５】
回路基板１０は、基板用コネクタ２０が搭載される表面１１に、略直線状の目印１２を装備している。目印１２は、表面１１に形成した二つの模様１３，１４で挟まれる空白の直線状模様である。模様１３，１４は、例えばシルク印刷によって回路基板１０の表面１１に形成される模様である。また、本実施形態の場合、目印１２は、図１に示すように、回路基板１０上の基板用コネクタ２０から距離Ｌだけ離れた位置において、ＦＰＣ３０をその幅方向（図１では、矢印Ｗ１方向）に横断する直線状に形成されている。この目印１２は、後述するＦＰＣ３０の接続端部３１の端子配置部２４への挿入長が適正値のときに、ＦＰＣ３０に装備した指標部３５と位置が整合する。
【００２６】
本実施形態の基板用コネクタ２０は、フロントフリップロックタイプのコネクタで、回路基板１０に固定されるハウジング２１と、該ハウジング２１に回動可能に取り付けられた開閉カバー２２と、を備えている。図１に示した矢印Ｒ１は、開閉カバー２２の回動方向を示している。
【００２７】
ハウジング２１は、後述するＦＰＣ３０の接続端部３１が載置される端子配置部２４と、後述するＦＰＣ３０の保護板３２の先端部と係合するロック部２５と、を備えている。
【００２８】
端子配置部２４には、ＦＰＣ３０の複数のリード線（不図示）に接続する複数の接続端子２４１が、規定の配列ピッチで平面状に配列されている。この端子配置部２４に後述するＦＰＣ３０の接続端部３１を載置すると、接続端部３１に露出している複数のリード線が、対応する接続端子２４１に当接した状態になる。
【００２９】
ロック部２５は、後述するＦＰＣ３０の係合部３４と係合する突片で、端子配置部２４の両側に装備されている。このロック部２５は、後述するＦＰＣ３０の係合部３４の後縁部３４ａと係合して、ＦＰＣ３０のリード線の延在方向への移動を規制する。
【００３０】
開閉カバー２２は、端子配置部２４の上方を開閉可能に覆う。そして、該開閉カバー２２は、図２に示したように閉じた状態では、端子配置部２４に載置されたＦＰＣ３０を端子配置部２４に押圧して、ＦＰＣ３０上の各リード線が端子配置部２４の各接続端子２４１に接続された状態を保持する。
【００３１】
ＦＰＣ３０は、先端の一方の面（図１では、裏面）に、接続端部３１を備えている。接続端部３１は、端子配置部２４に重ねられる部位で、複数のリード線が露出している。ＦＰＣ３０の複数のリード線は、接続端部３１以外では、絶縁性の樹脂フィルム等によるオーバーコート層で覆われている。
【００３２】
ＦＰＣ３０の先端部で、接続端部３１が設けられている面とは逆側の面には、樹脂製の保護板３２が装備されている。この保護板３２は、ＦＰＣ３０のオーバーコート層の上に積層状態に設けられている。この保護板３２は、適宜接着剤による接着等で、ＦＰＣ３０に固定装備されている。また、本実施形態の場合、保護板３２は、図２に示すように、回路基板１０上の目印１２の位置を越える位置まで延在するように、長さＬ１（図１参照）が設定されている。
【００３３】
本実施形態のＦＰＣ３０は、図１に示すように、係合部３４と、指標部３５と、を備えている。
【００３４】
係合部３４は、基板用コネクタ２０内に挿入される保護板３２の先端部の両側に装備されている。この係合部３４は、ＦＰＣ３０の接続端部３１を基板用コネクタ２０の端子配置部２４上に載置した際に、端子配置部２４の両側に装備されているロック部２５と係合する突片である。図３に示すように、この係合部３４の後縁部３４ａが、ロック部２５の前縁２５ａに係合することで、ＦＰＣ３０のリード線の延在方向（図３では、矢印Ｙ１方向）への移動が規制される。
【００３５】
なお、係合部３４は、図３（ｂ）に示すように、保護板３２に形成された凹形状であってもよい。この場合、係合部３４の前端３４ｂがロック部２５の前縁２５ａに係合することで、ＦＰＣ３０のリード線の延在方向（図３では、矢印Ｙ１方向）への移動が規制される。
【００３６】
指標部３５は、保護板３２の基板用コネクタ２０の外部に導出する部位の両側に装備されている。本実施形態の指標部３５は、凹部である。本実施形態の指標部３５は、ＦＰＣ３０の接続端部３１の端子配置部２４への挿入長が適正値のときに、図２に示すように、回路基板１０上の目印１２の上に重なるように、接続端部３１から所定距離だけ離れた位置に装備されている。
【００３７】
以上に説明した本実施形態のＦＰＣのコネクタ接続構造の場合、ＦＰＣ３０を接続する基板用コネクタ２０は、端子配置部２４の上方を開閉可能に覆うと共に閉じた状態では端子配置部２４に載置されたＦＰＣ３０を端子配置部２４に押圧する開閉カバー２２を備えるフロントフリップロックタイプのコネクタである。
【００３８】
そして、当該基板用コネクタ２０へのＦＰＣ３０の装着が適正に完了したときには、ＦＰＣ３０の保護板３２に装備されている指標部３５の位置が、回路基板１０の表面１１の目印１２の位置に整合する。従って、ＦＰＣ３０の装着作業の完了後に、指標部３５の位置が回路基板１０の表面１１の目印１２の位置に整合しているか否かを目視確認することで、ＦＰＣ３０が基板用コネクタ２０に適正に装着されているか否かを簡単に判別することができる。
【００３９】
例えば、２つの指標部３５の凹部内に目印１２が位置していない場合は、ＦＰＣ３０が適正に装着されていないと判別することができる。また、２つの指標部３５に対する目印１２の位置が異なる場合は、ＦＰＣ３０が斜めに装着されていると判別することができる。
【００４０】
また、本実施形態のＦＰＣのコネクタ接続構造の場合、基板用コネクタ２０へのＦＰＣ３０の装着が適正な場合には、図３に示したように、基板用コネクタ２０の端子配置部２４の両側に装備されているロック部２５が、ＦＰＣ３０の保護板３２の先端部の両側の係合部３４と係合して、ＦＰＣ３０のリード線の延在方向への移動を規制する。
【００４１】
そのため、ＦＰＣ３０に作用する張力等で、ＦＰＣ３０が基板用コネクタ２０から抜けることを防止することができ、基板用コネクタ２０とＦＰＣ３０との間の接続信頼性を向上させることができる。
【００４２】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４３】
例えば、ＦＰＣを抜け止めするために保護板３２の先端部の両側に装備する係合部３４は、図１に示した突片に限るものではなく、図４に示すように、突片状のロック部２５が係合する凹形状にしても良い。
【００４４】
また、ＦＰＣが適正に基板用コネクタに装着されているか否かの目視判別用に保護板３２に装備する指標部の具体的形状も、図２に示した凹部に限らない。図５に示すように、保護板３２に装備する指標部３５を、回路基板１０上の目印１２の上に重なる凸部にしても良い。また、指標部３５を形成する場合には、例えば、先端が尖った三角形状の凹部又は凸部とすることで、より高精度に、整合度合いを判別することが可能になる。また、指標部は、保護板３２上に印刷した位置指示線にすることもできる。
【００４５】
ここで、上述した本発明に係るフレキシブルプリント基板のコネクタ接続構造の実施形態の特徴をそれぞれ以下［１］〜［２］に簡潔に纏めて列記する。
【００４６】
［１］  フレキシブルプリント基板（３０）の複数のリード線に接続する複数の接続端子（２４１）が規定の配列ピッチで平面状に配列された端子配置部（２４）と、該端子配置部（２４）の上方を開閉可能に覆うと共に閉じた状態では前記端子配置部（２４）に載置された前記フレキシブルプリント基板（３０）を前記端子配置部（２４）に押圧する開閉カバー（２２）と、を備えて回路基板（１０）上に搭載される基板用コネクタ（２０）に、前記フレキシブルプリント基板（３０）を接続するフレキシブルプリント基板のコネクタ接続構造であって、
前記フレキシブルプリント基板（３０）は、前記複数のリード線が露出し前記端子配置部（２４）に重ねられる接続端部（３１）と、該接続端部（３１）が設けられている面とは逆側の面に積層状態に設けられた樹脂製の保護板（３２）と、該保護板（３２）の前記基板用コネクタ（２０）の外部に導出する部位の両側で前記接続端部（３１）から所定距離だけ離れた位置に装備された指標部（３５）と、を備え、
前記基板用コネクタ（２０）が搭載される前記回路基板（１０）の表面（１１）には、前記フレキシブルプリント基板（３０）の前記接続端部（３１）の前記端子配置部（２４）への挿入長が適正値のときに、前記指標部（３５）と位置が整合する目印（１２）を装備したことを特徴とするフレキシブルプリント基板のコネクタ接続構造。
【００４７】
［２］  前記基板用コネクタ（２０）内に挿入される前記保護板（３２）の先端部の両側には、係合部（３４）を備え、
前記端子配置部（２４）の両側には、前記係合部（３４）と係合して前記フレキシブルプリント基板（３０）の前記リード線の延在方向への移動を規制するロック部（２５）を備えたことを特徴とする上記［１］に記載のフレキシブルプリント基板のコネクタ接続構造。
【符号の説明】
【００４８】
１０  回路基板
１１  表面
１２  目印
２０  基板用コネクタ
２２  開閉カバー
２４  端子配置部
２５  ロック部
３０  ＦＰＣ（フレキシブルプリント基板）
３１  接続端部
３２  保護板
３４  係合部
３５  指標部
２４１  接続端子
【図１】
2015005405.tif 000003
【図２】
2015005405.tif 000004
【図３】
2015005405.tif 000005
【図４】
2015005405.tif 000006
【図５】
2015005405.tif 000007
【図６】
2015005405.tif 000008
【図７】
2015005405.tif 000009